【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
コンテナ化されたＬＮＧ液化ユニットであって、
ＬＮＧ液化プラントと、
輸送可能なコンテナであって、前記ＬＮＧ液化プラントは、前記輸送可能なコンテナ内に完全に収容されている、輸送可能なコンテナと、
前記コンテナにおいて支持された１つ以上のコネクタであって、前記１つ以上のコネクタは、供給、流体、及び用役の別個の分離された流れを可能にするように配置され、前記１つ以上のコネクタは、供給流ガスが前記コンテナの中に流れること、前記コンテナの外へのＬＮＧの流れ、及び前記ＬＮＧ液化プラントの外部電源への接続を可能にするように配置されている、１つ以上のコネクタと
を備える、ＬＮＧ液化ユニット。
【請求項２】
前記輸送可能なコンテナは密閉されている、請求項１に記載のＬＮＧ液化ユニット。
【請求項３】
前記コネクタは、前記コンテナから熱エネルギーを除去することを可能にする熱伝達流体入口ポート及び出口ポートを含む、請求項１又は２に記載のＬＮＧ液化ユニット。
【請求項４】
前記コネクタは、（ａ）前記コンテナからガス又は液体を除去することを可能する排出管及び（ｂ）前記ＬＮＧ液化プラントの機器及び／又は計装の動作を容易にするための流体の供給を可能にする１つ以上の用役流体ポートの何れか１つ又は両方を含む、請求項１〜３の何れか一項に記載のＬＮＧ液化ユニット。
【請求項５】
前記コンテナは、（ａ）不活性流体、（ｂ）窒素ガス、又は（ｃ）大気圧に対して正圧に加圧された不活性流体の何れか１つで充填されている、請求項１〜４の何れか一項に記載のＬＮＧ液化ユニット。
【請求項６】
前記ＬＮＧ液化プラントの状態及び性能を監視し、前記液化ユニットに関連する遠隔アクセスできる状態及び性能情報を提供することができる監視システムを備える、請求項１〜５の何れか一項に記載のＬＮＧ液化ユニット。
【請求項７】
前記監視システムは、前記コンテナ内の環境特性を更に監視することができる、請求項６に記載のＬＮＧ液化ユニット。
【請求項８】
前記環境特性は、前記コンテナ内の大気圧、前記コンテナにおける雰囲気の組成、前記コンテナ内の温度、及び前記ＬＮＧ生産プラントの１つ以上の選択された構成要素の温度のうちの１つ以上を含む、請求項７に記載のＬＮＧ液化ユニット。
【請求項９】
前記ＬＮＧ生産プラントは、主極低温熱交換器（ＭＣＨＥ）と、前記ＭＣＨＥを通って冷媒を循環させるための冷媒回路とを備え、前記冷媒回路は、少なくとも１つの圧縮機と、前記少なくとも１つの圧縮機を駆動するための少なくとも１つの電気モータとを含む、請求項１〜８の何れか一項に記載のＬＮＧ液化ユニット。
【請求項１０】
前記ＭＣＨＥは、≧１のアスペクト比を有し、幅及び／又は深さは高さより大きい、請求項９に記載のＬＮＧ液化ユニット。
【請求項１１】
前記ＭＣＨＥは、２つ以上の別個の熱交換器を備える、請求項９又は１０に記載のＬＮＧ液化ユニット。
【請求項１２】
各別個の熱交換器は、≧１のアスペクト比を有する、請求項１１に記載のＬＮＧ液化ユニット。
【請求項１３】
前記ＭＣＨＥは、垂直方向に１メートル当たり最大１００℃の熱応力で動作するように配置されている、請求項９〜１２の何れか一項に記載のＬＮＧ液化ユニット。
【請求項１４】
前記電気モータは、前記少なくとも１つの圧縮機を少なくとも１０，０００ｒｐｍ又は最大約２５，０００ＲＰＭの速度で回転させるように配置されている、請求項９〜１３の何れか一項に記載のＬＮＧ液化ユニット。
【請求項１５】
前記少なくとも１つの圧縮機は、低圧圧縮機及び高圧圧縮機を備える、請求項９〜１４の何れか一項に記載のＬＮＧ液化ユニット。
【請求項１６】
前記少なくとも１つのモータは、前記低圧圧縮機と前記高圧圧縮機との両方を駆動する単一のモータを含む、請求項１５に記載のＬＮＧ液化ユニット。
【請求項１７】
前記冷媒回路は、前記冷媒の液相と気相とを分離するための少なくとも１つの分離器を含み、前記少なくとも１つの分離器は≧１のアスペクト比を有する、請求項９〜１６の何れか一項に記載のＬＮＧ液化ユニット。
【請求項１８】
前記少なくとも１つの圧縮機と前記分離器との間で前記冷媒回路において少なくとも１つの中間冷却器を備える、請求項１７に記載のＬＮＧ液化ユニット。
【請求項１９】
空気が前記コンテナに蓄積することを防ぎ、又は前記コンテナから空気を移すことができる材料の注入を容易にするように配置されたキルポートを備える、請求項１〜１８の何れか一項に記載のＬＮＧ液化ユニット。
【請求項２０】
前記ＬＮＧ液化プラントは、最大０．３０ＭＴＰＡのＬＮＧを生産するように構成されている、請求項１〜１９の何れか一項に記載のＬＮＧ液化ユニット。
【請求項２１】
前記ＬＮＧ液化プラントは、最大０．１０ＭＴＰＡのＬＮＧを生産するように構成されている、請求項２０に記載のＬＮＧ液化ユニット。
【請求項２２】
複数のコンテナ化された請求項１〜２１の何れか一項に記載のＬＮＧ液化ユニットを備えるＬＮＧ生産プラントであって、
各コンテナ化されたＬＮＧ液化ユニットは、ＬＮＧの所定量を生産するように配置され、マニホールドシステムが、前記１つ以上のコネクタに接続可能であり、前記複数のコンテナ化されたＬＮＧ液化ユニットと、少なくとも天然ガスの供給流、電源、及びＬＮＧ貯蔵設備との間の接続を可能にする、ＬＮＧ生産プラント。
【請求項２３】
前記複数のＬＮＧ液化ユニットの一部は、互いの上に積み重ねられている、請求項２２に記載のＬＮＧ生産プラント。
【請求項２４】
積み重ねられたＬＮＧ液化ユニットの少なくとも１つのバンクを備え、前記マニホールドシステムは、前記ＬＮＧ液化ユニットの前記少なくとも１つのバンクに隣接して延びる、請求項２２又は２３に記載のＬＮＧ生産プラント。
【請求項２５】
前記少なくとも１つのバンクは、前記積み重ねられたＬＮＧ液化ユニットの少なくとも２つのバンクを含み、前記マニホールドシステムは、相互に隣接するバンク間又はバンクの外側の周りを延びる、請求項２４に記載のＬＮＧ生産プラント。
【請求項２６】
前記ＬＮＧ液化ユニット及び前記マニホールドシステムは、全てのＬＮＧ液化ユニットの１つの面が前記マニホールドシステムに直接アクセスできることを可能にするように配置されている、請求項２２〜２５の何れか一項に記載のＬＮＧ生産プラント。
【請求項２７】
各ＬＮＧ液化ユニットは、長さＸｍ、高さＹｍ、及び幅Ｚｍを有し、Ｘ＞Ｙであり、各バンクは、長さＬｍ、高さＨｍ、及び幅Ｗｍを有し、Ｌｍ＞Ｗｍであり、各バンクにおいて、各液化ユニットの長さ方向は、前記バンクの長さ方向に垂直である、請求項２３〜２６の何れか一項に記載のＬＮＧ生産プラント。
【請求項２８】
ＬＮＧ液化ユニットの各バンクを構築及び解体するように構成された１つ以上のクレーンを備える、請求項２４〜２７の何れか一項に記載のＬＮＧ生産プラント。
【請求項２９】
前記クレーンは、前記ＬＮＧ生産プラントの幅に及び、ＬＮＧ液化ユニットをバンクに設置し、又はＬＮＧ液化ユニットをバンクから取り外すことができるガントリークレーンを備える、請求項２８に記載のＬＮＧ生産プラント。
【請求項３０】
各コンテナ化されたＬＮＧ液化ユニットは、閉ループ冷媒回路を備える、請求項２２〜２９の何れか一項に記載のＬＮＧ生産プラント。
【請求項３１】
各コンテナ化されたＬＮＧ液化ユニットは、熱伝達流体が各コンテナ化されたＬＮＧ液化ユニットの中に及び外に流れることを可能にする前記マニホールドシステムに接続するように配置された開ループ熱伝達流体回路を備える、請求項２２〜３０の何れか一項に記載のＬＮＧ生産プラント。
【請求項３２】
前記マニホールドシステムと流体連通し、前記熱伝達流体の冷却を容易にするように配置された冷却設備を備える、請求項３１に記載のＬＮＧ生産プラント。
【請求項３３】
前記冷却設備は、空冷及び／又は水冷設備を備える、請求項３２に記載のＬＮＧ生産プラント。
【請求項３４】
前記液化プラントは、液化の前に、水、酸性ガス、水銀、及び二酸化炭素のうちの１つ以上を、前記供給流ガスから除去するように配置された前処理設備を備える、請求項１〜１３の何れか一項に記載のＬＮＧ液化ユニット。
【請求項３５】
液化の前に、水、酸性ガス、水銀、及び二酸化炭素のうちの１つ又は任意の２つ以上の組合せを、前記供給流ガスから除去するように配置された前処理設備を備える、請求項２２〜３４の何れか一項に記載のＬＮＧ生産プラント。
【請求項３６】
生産サイトにおいてＬＮＧ生産プラントを構築する方法であって、
天然ガス供給流における天然ガスの質量流量を一致させるために、要求に応じて、複数のコンテナ化された請求項１〜２１の何れか一項に記載のＬＮＧ液化ユニットを接続又は切断して、ＬＮＧ液化容量の個別の増分変化を可能にするために、マニホールドを使用するステップと、
前記マニホールドを通って、前記天然ガス供給流からの天然ガスの流れ及び電力を前記コンテナ化されたＬＮＧ液化ユニットの接続された一部に導通し、前記コンテナ化されたＬＮＧ液化ユニットの前記接続された一部によって液化されたＬＮＧをＬＮＧ貯蔵設備に導通するステップと
を含む方法。
【請求項３７】
１つ以上の前記コンテナ化されたＬＮＧ液化ユニットを積み重ねて、積み重ねられたコンテナ化されたＬＮＧ液化ユニットの１つ以上のバンクを形成するステップを含む、請求項３６に記載の方法。
【請求項３８】
１つ以上の前記コンテナ化されたＬＮＧ液化ユニットを積み重ねるステップは、１つ以上の前記コンテナ化されたＬＮＧ液化ユニットを自律的に積み重ねて、前記１つ以上のバンクを形成するステップを含む、請求項３７に記載の方法。
【請求項３９】
前記コンテナ化されたＬＮＧ液化ユニットを熱伝達流体回路に接続するために、前記マニホールドを使用するステップを含み、前記熱伝達流体回路は、前記接続されたコンテナ化されたＬＮＧ液化ユニット及び外部熱交換器の各々を通る熱伝達流体の流れを可能にするように配置されている、請求項３６〜３８の何れか一項に記載の方法。
【請求項４０】
１つ以上の前記コンテナ化されたＬＮＧ液化ユニットを、不活性ガスの供給部に接続するために、前記マニホールドを使用するステップを含む、請求項３６〜３９の何れか一項に記載の方法。
【請求項４１】
ＬＮＧを生産する方法であって、
１つ以上のコンテナ化された請求項１〜２１の何れか一項に記載のＬＮＧ液化ユニットに対してマニホールドを選択的に接続又は切断するステップであって、各ユニットは、個別の量のＬＮＧを天然ガスから生産するように動作可能であり、前記接続又は切断は、天然ガス供給流からの前記天然ガスの質量流量を一致させるために実行される、ステップと、
前記マニホールドを通って、前記コンテナ化されたＬＮＧ液化ユニットの接続された一部に前記天然ガス及び電力を導通するステップと、
前記天然ガスを液化して前記天然ガスからＬＮＧを生産するために、前記接続されたコンテナ化されたＬＮＧ液化ユニットを動作するステップと、
前記マニホールドを通って、ＬＮＧ貯蔵設備に前記ＬＮＧを導通するステップと
を含む方法。
【請求項４２】
前記個別の量のＬＮＧは、０．０１ＭＴＰＡ〜０．３０ＭＴＰＡの間にある、請求項４１に記載の方法。
【請求項４３】
前記コンテナ化されたＬＮＧ液化ユニットの各々の動作状態を監視して前記ユニットにおける障害又は故障を検出するステップと、ユニットにおける障害又は故障の検出の際には、前記天然ガス供給流から前記ユニットを切断又はさもなければ分離するステップとを含む、請求項４１又は４２に記載の方法。
【請求項４４】
各コンテナ化されたＬＮＧ液化ユニットが障害又は故障があるとして検出される場合には、前記マニホールドを、新しいコンテナ化されたＬＮＧ液化ユニットに接続するステップを含み、それによって、天然ガスが、前記新しいコンテナ化されたＬＮＧ液化ユニットに接続される、請求項４３に記載の方法。
【請求項４５】
前記マニホールドを介して前記接続されたコンテナ化されたＬＮＧ液化ユニット及び外部熱伝達流体熱交換器を通って熱伝達流体を循環させるステップを含む、請求項４１〜４４の何れか一項に記載の方法。
【手続補正２】
【補正対象書類名】明細書
【補正対象項目名】０００７
【補正方法】変更
【補正の内容】
【０００７】
一態様においては、コンテナ化されたＬＮＧ液化ユニットが開示され、ＬＮＧ液化ユニットは、
ＬＮＧ液化プラントと、
輸送可能なコンテナであって、ＬＮＧ液化プラントは、輸送可能なコンテナ内に完全に収容される、輸送可能なコンテナと、
コンテナにおいて支持された１つ以上のコネクタであって、１つ以上のコネクタは、供給及び流体の別個の分離された流れを可能にするように配置され、１つ以上のコネクタは、供給流ガスがコンテナの中に流れること、コンテナの外へのＬＮＧの流れ、及びＬＮＧ液化プラントの外部電源への接続を可能にするように配置される、１つ以上のコネクタと
を備える。